(57)【要約】【課題】橋梁にコンクリート床版１０を敷設する施工時に使用する移動型枠装置において、コンクリート床版１０を現地にて打設する際に、コンクリート床版１０の側型枠５を下方から支持するフレーム足場４のたわみ変形を解消すること。【解決手段】フレーム足場４の主桁側の端部に主桁１の側面部を水平方向に押圧する水平押圧手段９と、主桁１の上フランジ１４と下フランジ１５の間に設けられて、これら二つのフランジを共に押圧することでフレーム足場４と主桁１を固定する垂直支持手段１２を設けて、フレーム足場４のたわみ変形を低減させる。【選択図】　図１
2004076461.tif 000002
【特許請求の範囲】
【請求項１】
橋梁にコンクリート床版を敷設する施工時に使用し、主桁の両外側に張り出した横梁と該横梁の両端部に支柱が備えられた門型フレームを有する移動型枠装置において、前記支柱と主桁に支持されており主桁外側部のコンクリート床版の側型枠を下方から支持するフレーム足場が、主桁の側面部を水平方向に押圧する水平押圧手段と、主桁の上フランジと下フランジの間に設けられてこれら二つのフランジを共に押圧することでフレーム足場と主桁を固定する垂直支持手段を備えることを特徴とする移動型枠装置。
【発明の詳細な説明】
【０００１】
【産業上の利用分野】
本発明は、橋梁の主桁上にコンクリート床版を現地にて打設する際に使用する移動型枠装置の構造に関するものである。
【０００２】
【従来の技術】
道路や鉄道などの設置に必要な橋の構築では、橋梁の主桁上にコンクリート床版を現地にて打設する橋梁構造形式が数多く採用されている。この施工には、主桁上にコンクリート床版を現地にて打設するため、主桁のフランジ上に設けた軌条に沿って移動する移動型枠装置が用いられている。
この移動型枠装置の橋軸の直角方向から見た断面図として図３に示し、図３のＡ部の部分拡大図として主桁とフレーム足場の支持部を図４に示す。
【０００３】
図３において橋梁は、平行に配設された２本の主桁１とその間を連結する横桁２で構成されており、コンクリート床版１０は主桁間の上面およびその両外側に張り出すように現地にてコンクリート打設される。
前記のような主桁１の両外側に張り出して打設されるコンクリートを現地にて打設するための移動型枠装置には主桁１の外側までに張り出した横梁６と該横梁６の両端部に設けられた支柱８を備えた門型フレーム３が設けられている。移動型枠装置には前記門型フレーム３の支柱８によって外側端を支持され、他端を主桁１の下フランジ１５の上面を走行するフレーム足場４が備えられており、該フレーム足場４は主桁１の外側に張り出すコンクリート床版１０を打設するための側型枠５を下方から支持している。
【０００４】
このような従来の構造では主桁１の外側に張り出す側型枠５にコンクリート床版１０を打設すると、図４中に示すようにコンクリート床版１０の自重Ｗによってフレーム足場４に曲げモーメントＭが作用し、フレーム足場４はたわみ変形を起こして矢印Ｍの方向へ湾曲してしまい、側型枠５が内側下方に移動してコンクリート床版１０の外形精度が維持できない。
【０００５】
また、従来の移動型枠装置としては、特開２０００‐１２９６３２号公報に記載されているように、主桁１の外側に張り出す側型枠５にかかるコンクリート床版１０の荷重Ｗを受けるフレーム足場４に主桁１の下フランジ１５の上面に突き当ててフレーム足場４を支持する支持ジャッキを設けて、主桁１の下フランジ１５へフレーム足場４にかかる垂直方向の荷重を支持させている。
【０００６】
しかし、この構造では垂直方向の荷重を支持する支持ジャッキの下部が主桁１の下フランジ１５のみを突き当てて、支持ジャッキの上部は固定されていないために垂直方向下向きの荷重は支持できるが、水平力やフレーム足場４にかかる曲げモーメントＭが作用すると支持ジャッキは転倒してしまい、荷重を主桁１に伝えることは困難であり、フレーム足場４のたわみ変形による側型枠５の移動を防ぐことはできない。
【０００７】
このため、フレーム足場４のたわみ変形による側型枠５の移動を見越してコンクリート打設前にあらかじめ側型枠５の位置を上方に設置しておき、コンクリートを打設してコンクリート床版１０の自重Ｗにより側型枠５が下方に移動したときにコンクリート床版１０が所望の外形となるように事前に側型枠５の設置調整が行なわれていた。しかし、この方法での調整量は作業者の経験や感覚により決定されており、やはりコンクリート床版１０の外形は高精度には維持できない。
【０００８】
【発明が解決しようとする課題】
したがって、本発明は前記問題点を鑑み、コンクリート床版１０を現地にて打設する際に移動型枠装置のフレーム足場４のたわみ変形を解消する移動型枠装置を提供することを目的とする。
【０００９】
【課題を解決するための手段】
上記の課題を解決するため、本発明は、橋梁にコンクリート床版を敷設する施工時に使用し、主桁の両外側に張り出した横梁と該横梁の両端部に支柱が備えられた門型フレームを有する移動型枠装置において、前記支柱と主桁に支持されており主桁外側部のコンクリート床版の側型枠を下方から支持するフレーム足場が、主桁の側面部を水平方向に押圧する水平押圧手段と、主桁の上フランジと下フランジの間に設けられてこれら二つのフランジを共に押圧することでフレーム足場と主桁を固定する垂直支持手段を備えることを特徴とする。
【００１０】
【発明の実施の形態】
本発明の実施例を図を用いて説明する。
図１は本発明の移動型枠装置の橋軸の直角方向から見た断面図を示し、図２は図１中のＢ部部分拡大図である主桁１とフレーム足場４の支持部を示す。
図１において、二つの主桁１の間に横桁２が配置され、これらの上方にコンクリート床版１０を現地にて打設する。そのため、主桁１の左右両側に張り出す外側に側型枠５が取り付けられている。この側型枠５を支持し、移動させるために主桁上へ設けた軌条に沿って移動する移動型枠装置が設けられている。
【００１１】
移動型枠装置は、主桁上の軌条を走行する駆動台車７を備え、駆動台車７に支持されて水平方向に主桁１の両外側までに及ぶ片持ち梁構造で外側に張り出した横梁６と該横梁６の外側両端部に垂直に降ろされた支柱８を備えた門型フレーム３を設けている。支柱８は側型枠５を支えるために側型枠５の下方に設けられたフレーム足場４の外側端部を支持している。フレーム足場４の主桁側の端部は主桁１の下フランジ１５の上面を移動可能になされており、垂直支持手段１２が備えられている。
図２に示されるように、垂直支持手段１２は垂直状態でフレーム足場４の端部に固定された垂直ジャッキ１３を主桁１の上フランジ１４と下フランジ１５の間に備えている。
垂直ジャッキ１３を伸長することによって主桁１の上フランジ１４を下方から、下フランジ１５を上方からそれぞれ押圧して、垂直支持手段１２の上下両端部を主桁１に固定させて、フレーム足場４にかかるコンクリート床版１０の自重Ｗを主桁１に支持させる。
【００１２】
また、フレーム足場４には曲げモーメントＭに対向する水平方向への作用力を発生させる水平押圧手段９として水平ジャッキ１１が水平方向にフレーム足場４へ固定されている。
水平押圧手段９である水平ジャッキ１１は伸長すると主桁外側の側面部を押圧するように設けられており、水平ジャッキ１１を伸長させることによりフレーム足場４から主桁１の側面部を押圧する。
【００１３】
次に本発明の作用を説明する。
図２に示すように、コンクリート床版１０を現地にて打設する際に移動型枠装置を打設位置へ移動させた後、主桁１の上フランジ１４と下フランジ１５の間に設けられた垂直ジャッキ１３を伸長させて主桁１の上フランジ１４と下フランジ１５をそれぞれ押圧して垂直作用力Ｖ１、Ｖ２を発生させる。
垂直支持手段１２は前記垂直作用力Ｖ１、Ｖ２により垂直ジャッキ１３の上下両端部を押圧し、主桁１とフレーム足場４を固定することにより、水平力や曲げモーメントＭが作用しても垂直支持手段１２が転倒することなく固定を維持し、フレーム足場４にかかるコンクリート床版１０の自重Ｗを確実に主桁１へ伝えることができる。
【００１４】
さらに、水平押圧手段９としてフレーム足場４へ水平に設けられた水平ジャッキ１１を伸長させて主桁１の外側の側面部を押圧する。水平ジャッキ１１はフレーム足場４へ固定されているので、押圧による反力がフレーム足場４に作用してフレーム足場４へ外向きの水平作用力Ｐを発生させる。
フレーム足場４に作用した外向きの水平作用力Ｐは現地にて打設されたコンクリート床版１０の自重Ｗにより生じる下向きの曲げモーメントＭに対向する水平作用力として作用し、フレーム足場４にかかる曲げモーメントＭによる水平力を抑えて、曲げモーメントＭによって発生するフレーム足場４のたわみ変形を低減させる。
【００１５】
前記実施例では水平押圧手段９や垂直支持手段１２は水平ジャッキ１１、垂直ジャッキ１３を使用しているが、他にも油圧シリンダなどの作動式のものを用いても同様な効果を得ることができる。
また、水平押圧手段９は主桁１の側面部を直接に押圧しているが、押圧による主桁１の変形に考慮して主桁１の側面部に押圧受け部材を設け、直接に主桁１の側面部を押圧しないような構造としても良い。
【００１６】
本発明では、垂直支持手段１２が上下両端部で主桁１の上フランジ１４と下フランジ１５をそれぞれ押圧することで、水平力や曲げモーメントＭが作用してもフレーム足場４と主桁１との固定が維持されてフレーム足場４にかかるコンクリート床版の自重Ｗを確実に主桁１へ伝達できる。
さらに、水平押圧手段９がフレーム足場４にかかる曲げモーメントＭによる水平力に対向する水平作用力Ｐを発生させることで、フレーム足場４にかかる水平力を抑えて、曲げモーメントＭによるフレーム足場４の変形を低減できる。
これら２つの作用によって、コンクリート床版１０の自重Ｗによる垂直力とコンクリート床版１０の自重Ｗから発生する曲げモーメントＭによる水平力がフレーム足場４にかかる場合でも、フレーム足場４のたわみ変形を抑えることができる。
【００１７】
【発明の効果】
以上述べたように本発明によれば、コンクリート床版１０の自重Ｗによるフレーム足場４のたわみ変形を抑えてコンクリートを打設するので、コンクリート床版１０の形状を高精度に維持でき、これによりコンクリート強度の安定したコンクリート床版１０を得ることができる。
また、フレーム足場４のたわみ変形が抑えられてフレーム足場４を支持する門型フレーム３の強度が低減されるので移動型枠装置の軽量化が可能となり、主桁１にかかる荷重が小さくなり主桁１の変形を抑えることができる。
【図面の簡単な説明】
【図１】本発明の移動型枠装置の橋軸の直角方向から見た断面図
【図２】図１中のＢ部部分拡大図
【図３】従来の移動型枠装置の橋軸の直角方向から見た断面図
【図４】図３中のＡ部部分拡大図
【符号の説明】
１　主桁
３　門型フレーム
４　フレーム足場
５　側型枠
９　水平押圧手段
１０　コンクリート床版
１１　水平ジャッキ
１２　垂直支持手段
１３　垂直ジャッキ
【図１】
2004076461.tif 000003
【図２】
2004076461.tif 000004
【図３】
2004076461.tif 000005
【図４】
2004076461.tif 000006